(57)【要約】【課題】複数番組を含む1つの連続したコンテンツの再生を停止した後に、コンテンツに含まれる番組を再生する場合、再生の停止位置から番組を再生すること。【解決手段】実施形態によれば、受信部と記録手段と再生手段と管理手段とを具備する。受信部は、放送局から送信された放送ストリームを受信する。記録手段は、前記放送ストリームに対応し、複数の番組データを含む一つの放送データを記録媒体に記録する。再生手段は、前記一つの放送データから指定された番組データを再生する。管理手段は、過去番組が前記再生手段によって一部が再生された後に当該過去番組が前記再生手段によって再生される場合の再生再開位置を管理する。管理手段は、前記複数の番組データのそれぞれの再生位置を管理する。【選択図】    図１
2013062623.tif 000002
【特許請求の範囲】
【請求項１】
放送局から送信された放送ストリームを受信する受信部と、
前記放送ストリームに対応し、複数の番組データを含む一つの放送データを記録媒体に記録する記録手段と、
前記一つの放送データから指定された番組データを再生する再生手段と、
過去番組が前記再生手段によって一部が再生された後に当該過去番組が前記再生手段によって再生される場合の再生再開位置を管理する、管理手段であって、前記複数の番組データのそれぞれの再生位置を管理する管理手段と
を具備する番組記録再生装置。
【請求項２】
前記複数の番組データの内の二つ以上の過去番組を連続して再生する場合に、先頭の過去番組以降の各過去番組の前記再生再開位置を示すデータに対して有効および無効のいずれかを設定する設定手段をさらに具備する、
請求項１に記載の番組記録再生装置。
【請求項３】
前記無効に設定されている場合、前記再生手段は、前記先頭の過去番組以降の各過去番組の先頭から再生を行う
請求項２に記載の番組記録再生装置。
【請求項４】
前記有効に設定されている場合、前記再生手段は、前記先頭の過去番組以降の各過去番組の再生開始位置から再生を行う
請求項２に記載の番組記録再生装置。
【請求項５】
前記複数の過去番組データの内の一つの過去番組を最後まで再生した場合、前記管理手段は、当該一つの番組の再生開始位置を当該一つの番組の先頭にする
請求項１に記載の番組記録再生装置。
【請求項６】
前記記録手段は、前記複数の過去番組データ内の一つの番組データの少なくとも一部を自動的に削除し、
前記管理手段は、削除された部分に当該一つの過去番組の再生再開位置に対応する箇所が含まれる場合、当該一つの番組の再生開始位置を当該一つの過去番組の先頭に変更する
請求項１に記載の番組記録再生装置。
【発明の詳細な説明】
【技術分野】
【０００１】
本発明の実施形態は、放送番組の記録／再生を行う番組記録再生装置に関する。
【背景技術】
【０００２】
現在、複数のチャンネルから複数日に放映される全ての番組を記録できる番組記録装置が発売されている。
【０００３】
記録された番組の中から視聴する番組を選択するユーザインタフェースとして、電子番組表と同様な形態の過去番組表が提供されている。ユーザは、過去番組表の中から番組を選択することで記録されている番組の視聴を行う。
【０００４】
ところで、現在の番組記録装置では、複数番組を含む１つの連続したコンテンツの再生を停止した後に、再度番組を選択することによって再生を再開する場合、選択された番組の先頭から開始するようになっている。
【先行技術文献】
【特許文献】
【０００５】
【特許文献１】特開２００５−３２３０５７号公報
【発明の概要】
【発明が解決しようとする課題】
【０００６】
複数番組を含む１つの連続したコンテンツの再生を停止した後に、コンテンツに含まれている番組を再生する場合、再生の停止位置から番組を再生することが出来ることが望まれていた。
【０００７】
本発明の目的は、複数番組を含む1つの連続したコンテンツの再生を停止した後にコンテンツ中に含まれている番組を再生する場合、再生の停止位置から番組を再生することが可能な番組記録再生装置を提供することにある。
【課題を解決するための手段】
【０００８】
実施形態によれば、受信部と記録手段と再生手段と管理手段とを具備する。受信部は、放送局から送信された放送ストリームを受信する。記録手段は、前記放送ストリームに対応し、複数の番組データを含む一つの放送データを記録媒体に記録する。再生手段は、前記一つの放送データから指定された番組データを再生する。管理手段は、過去番組が前記再生手段によって一部が再生された後に当該過去番組が前記再生手段によって再生される場合の再生再開位置を管理する。管理手段は、前記複数の番組データのそれぞれの再生位置を管理する。
【図面の簡単な説明】
【０００９】
【図１】実施形態の番組記録装置のシステム構成の一例を示すブロック図である。
【図２】再多重の方式の一例を示す模式図である。
【図３】番組データベース部のデータ構成の一例を示す模式図である。
【図４】メタデータのデータ構成の一例を示す模式図である。
【図５】リモートコントローラの一例を示す正面図である。
【図６】過去番組表の一例を示す図である。
【図７】複数番組を含む１つのストリーム（コンテンツ）の、再生停止後のレジューム位置の例を示す図である。
【図８】複数の過去番組を含む１つのストリームの再生時に特殊再生で再生位置を変更した場合のレジューム位置の例である。
【図９】過去番組Ａのレジューム位置に対応する部分が自動削除された場合の過去番組Ａのレジューム位置を示す図である。
【図１０】一つのストリームに含まれる過去番組毎にレジューム位置が管理されている場合に、複数の過去番組を連続して再生する場合の例を示す図である。
【図１１】連続再生モード１および連続再生モード２の何れのモードに設定するための設定画面を示す図である。
【図１２】再生レジューム位置を設定する処理の手順を示すフローチャートである。
【図１３】１つのストリームの連続再生時の再生動作を示すフローチャートである。
【発明を実施するための形態】
【００１０】
以下、実施の形態について図面を参照して説明する。
【００１１】
本実施形態は番組記録装置としてデジタルレコーダを適用した例である。
【００１２】
図１は、実施の一形態にかかるデジタルレコーダ１０１の構成を示すブロック図である。本実施の形態のデジタルレコーダ１０１においては、スクランブルされたデジタル放送信号を受信する受信部であるチューナモジュールを４台有している場合（２台は地上デジタル放送受信用のチューナ１０２Ａ、１０２Ｂ、他の２台はＢＳ／ＣＳデジタル放送受信用のチューナ１０２Ｃ、１０２Ｄなど）を例にとって説明する。
【００１３】
第１のチューナ１０２Ａ、第２のチューナ１０２Ｂ、第３のチューナ１０２Ｃ、第４のチューナ１０２Ｄで受信された放送番組の信号は、再多重部として機能するＴＳ再多重部１４１に入力され、複数のチャンネル（ＣＨ）のＴＳ（Ｔｒａｎｓｐｏｒｔ Ｓｔｒｅａｍ）が１つのＴＳに再多重される。この再多重の方式としては、図２に示すように、４ＣＨの入力の場合は５倍の速度で多重しなおし、さらにＦｌａｇとして例えばパケットごとのタイムスタンプ情報を付加するなどの方式がある。ＴＳ再多重部１４１で再多重化された信号はＴＳ分離部１０３に送られる。
【００１４】
ＴＳ分離部１０３は、分離部として機能するものであって、放送番組の信号から暗号化情報であるＥＣＭ（Entitlement Control Message）と、番組名、出演者、開始時刻などのイベント情報を記述したテーブルであるＥＩＴ（Event Information Table）とを分離する。
【００１５】
ＴＳ分離部１０３で分離されたＥＣＭは、ＣＡＳ制御部１０７に転送される。ＣＡＳ制御部１０７は、カードスロット（カードインターフェースＩ／Ｆ）１０７Ａに装着されたＣＡＳモジュール（ＩＣカードの形態を持つＣＡＳカード：以下、適宜ＣＡＳカードと呼称する）１０８に記憶されている放送事業者毎に設定されるワーク鍵（Ｋｗ）を用いてＥＣＭの暗号を復号し、ＥＣＭ内のその番組に関する属性情報とＣＡＳカード１０８に記憶されている契約情報と比較して、視聴可否の判定を行う。ＣＡＳ制御部１０７は、視聴可の場合にはスクランブル鍵（Ｋｓ）を復号してデスクランブラ部１０４に出力する。なお、暗号鍵ＫｓとＫｗは放送事業者毎に異なるが、全受信機で共通な鍵である。
【００１６】
一方、ＴＳ分離部１０３で分離されたＥＩＴは、番組データベース部１１３に入力される。番組データベース部１１３は、ＥＩＴを用いて番組表を作成するためのデータベース化を実行する。図３は、番組データベース部１１３のデータ構成を示す模式図である。図３に示すように、チャンネル、日にち、開始時刻、終了時刻、タイトル、記録状況、ダビングの有無、レジューム位置などの情報が番組毎にテーブル化されている。レジューム位置は、開始時間からの位置（時間）を用いて示されている。
【００１７】
デスクランブラ部１０４は、ＣＡＳ制御部１０７から応答されたスクランブル鍵Ｋｓを設定し、デスクランブルしたＴＳを記録再生制御部１１０に入力する。
【００１８】
記録再生制御部１１０では、再多重されたＴＳをチャンネルごとのＴＳに戻し、ＨＤＤ等の記録媒体部１１１に記録する制御を行うとともに、記録媒体部１１１に記録された放送番組の信号であるＴＳを再生する制御を実行してＡＶデコード部１０５へ出力する。すなわち、記録再生制御部１１０は、記録制御部および再生制御部として機能するものである。
【００１９】
記録再生制御部１１０は、複数のチャンネルにおいて時間帯や曜日等の条件を指定することで録画した番組がチャンネルごとにＴＳファイルとして記録媒体部１１１に格納する。記録再生制御部１１０は、記録媒体部１１１の記録容量が限界に達した場合、記録時刻が古いものから順次消去しながら録画を続けていくものとする。なお、以下では、記録媒体部１１１内の各ＴＳファイル内の番組データを過去番組と称する。
【００２０】
ここで、記録再生制御部１１０は、記録媒体部１１１に対する放送番組の信号（ＣＨごとのＴＳに戻したストリーム）の記録を行う際に、図４に示すような記録媒体部１１１の物理的な領域における記録位置（物理アドレス）と時刻情報と番組情報とを関連付けたメタデータをチャンネルごとに作成し、記録媒体部１１１に記録する。図４に示す例では、５秒毎に記録位置（物理アドレス）を記録している。なお、番組情報は、ＥＩＴから取得可能である。
【００２１】
なお、記録再生制御部１１０は、再生制御部１１０Ａ、および管理手段としてのレジューム位置制御部１１０Ｂ等を備えている。レジューム位置管理部１１０Ｂは、再生制御部１１０Ａによって再生されている番組が最後まで再生されずに途中で停止されると、停止位置を管理手段としての番組データベース部１１３に通知する。通知された番組データベース部１１３は、レジューム位置（再生再開位置）を登録する。再生制御部１１０Ａは、過去番組の２度目以降の再生時にレジューム位置に基づいて再生を行う。また、レジューム位置制御部１１０Ｂは、レジューム位置を変更する場合に、レジューム位置の変更される位置を番組データベース部１１３に通知することによって、レジューム位置を変更させる。
【００２２】
記録媒体部１１１は、ＨＤＤ、ディスクドライブ、ＳＤ（登録商標）カードリーダライタであり、記録再生制御部１１０からの放送番組の信号であるＴＳを記録する。記録媒体部１１１は、デジタルレコーダ１０１に内蔵されたものである必要はなく、ＵＳＢやＬＡＮ等で接続されたＨＤＤ等の記録媒体でもよい。
【００２３】
ＡＶデコード部１０５は、各チューナ１０２Ａ，１０２Ｂ，１０２Ｃ，１０２Ｄで受信した各チャンネルの放送番組の信号（ＣＨごとのＴＳに戻したストリーム）または記録再生制御部１１０により再生された放送番組の信号（ＣＨごとのＴＳに戻したストリーム）をＡＶ情報（映像および音声）へデコードする。
【００２４】
ＡＶ情報のデコード出力（ＡＶ出力）は、表示処理部１０６を介して、外部モニタである表示部２００に出力される。また、表示処理部１０６は、ＯＳＤ（On Screen Display）等によりユーザへの情報を提示するための、ＧＵＩ（Graphical User Interface）機能を持っている。このＧＵＩ機能により、後述する番組表などが表示部２００に表示される。
【００２５】
番組表処理部１１５は、記録媒体部１１１に記録した番組のＥＩＴおよび今後放送される番組のＥＩＴを番組データベース部１１３から受け取ることにより、番組表の作成処理、および番組表を表示部２００の表示画面上に表示させるためのデータを作成する処理を実行する。
【００２６】
入力処理部１１４は、ユーザからの各種入力を受け付ける。例えば、入力処理部１１４は、ユーザからの自動録画の設定、番組表上における再生番組の指定などの入力を受け付ける。入力処理部１１４は、デジタルレコーダ１０１に取り付けられた固定の操作パネル（図示せず）に相当するものからユーザ入力を受け付けるものであってもよいし、またデジタルレコーダ１０１から分離したリモートコントローラ３００からユーザ入力を受け付けるものであってもよい。
【００２７】
図５は、上記リモートコントローラ３００の外観を示している。このリモートコントローラ３００には、主として、カーソルキー３００Ａ、決定キー３００Ｂ、タイムシフトキー３００Ｃ、停止キー３００Ｄ、早送りキー３００Ｅ、早戻しキー３００Ｆ、コマ戻しキー３００Ｇ、先スキップキー３００Ｈ、および前スキップキー３００Ｉ等が設けられている。
【００２８】
カーソルキー３００Ａは、後述する過去番組表や日時指定ジャンプ表等で指定領域（フォーカス）を遷移させるために設けられている。決定キー３００Ｂは、指定領域を決定するために設けられている。
【００２９】
タイムシフトキー３００Ｃは、録画方法により同時録画した番組を表示する過去番組表を表示させるためのキーである。タイムシフトキー３００Ｃを押下操作することで、過去番組表処理部１１５は、過去番組表を表示部２００の表示画面上に表示させ、表示画面から指定された番組の再生を行うタイムシフトモードに入る。
【００３０】
停止キー３００Ｄは、通常再生や特殊再生時に再生を停止させるためのキーである。早送りキー３００Ｅは、再生時に早送り再生を行うための特殊再生キーである。早戻しキー３００Ｆは、再生時に早戻し再生を行うための特殊再生キーである。コマ戻しキーＧは、１コマずつ逆再生を行うための特殊再生キーである。先スキップキー３００Ｈは、再生時に次のチャプターや次の番組の先頭から再生を行うためのキーである。前スキップキー３００Ｉは、再生時に前のチャプターや前の番組の先頭から再生を行うためのキーである。
【００３１】
過去番組表の例を図６に示す。過去番組表は、縦（行）方向に時間軸、横（列）方向にチャンネル軸が設けられた複数のセルを有する。過去番組表は、過去番組の再生をユーザが指示するためのユーザインタフェースである。
【００３２】
図６に示す過去番組表では、番組フォーカス６０１によって２０１０年１２月３１日の午後３時から１６１チャンネルによって放送された番組が選択されている。ユーザが決定キー３００Ｂを操作することで、番組フォーカス６０１に対応する番組の再生が開始される。ユーザがカーソルキー３００Ａを操作することで選択されている番組を変更することが出来る。
【００３３】
本装置は、記録媒体部１１１に記録されているＣＨごとのストリーム（コンテンツ）内の複数の各番組毎にレジューム位置（再生再開位置）を管理しているので、第１の過去番組を途中まで再生した後に、第２の過去番組を途中まで再生した後に第１の番組の再生を行う場合に、第１の過去番組の再生停止した位置から再生を再開することが出来る。
【００３４】
図７を参照して、複数番組を含む１つのストリーム（コンテンツ）の再生停止後にレジューム位置制御部１１０Ｂによって設定されるレジューム位置の例を説明する。
【００３５】
先ず、再生前には、過去番組Ａのレジューム位置は、過去番組Ａの先頭であり、過去番組Ｂのレジューム位置は過去番組Ｂの先頭である。  
次に、再生パターンＡの場合を説明する。再生パターンＡは、過去番組Ａから再生を開始し、過去番組Ａの途中で再生を停止した場合である。再生パターンＡの場合、過去番組Ａのレジューム位置は再生停止位置である。また、過去番組Ｂのレジューム位置は変わらない。
【００３６】
次に、再生パターンＢの場合を説明する。再生パターンＢは、過去番組Ａから再生を開始し、過去番組Ａの再生が終了した後に連続して番組Ｂを再生し、過去番組Ｂの途中で再生を停止した場合である。再生パターンＢの場合、過去番組Ａの再生開始位置は番組Ａの先頭であり、過去番組Ｂの再生開始位置は再生停止位置である。
【００３７】
次に、再生パターンＣの場合を説明する。再生パターンＣは、過去番組Ａから再生を開始し、過去番組Ａの再生が終了した後に連続して番組Ｂを再生し、過去番組Ｂの最後まで再生した場合である。再生パターンＣの場合、過去番組Ａのレジューム位置は番組Ａの先頭であり、過去番組Ｂのレジューム位置は番組Ｂの先頭である。
【００３８】
次に、再生パターンＤの場合を説明する。再生パターンＤは、過去番組Ａから再生を開始し、過去番組Ａの再生が終了した後に再生を停止した場合である（番組Ｂは非再生）。再生パターンＤの場合、過去番組Ａのレジューム位置は番組Ａの先頭であり、過去番組Ｂのレジューム位置は番組Ｂの先頭である。
【００３９】
次に、図８を参照して、複数の過去番組を含む１つのストリームの再生時に特殊再生で再生位置を変更した場合にレジューム位置制御部１１０Ｂによって設定されるレジューム位置の例である。  
先ず、特殊再生パターンＡの場合を説明する。特殊再生パターンＡは、過去番組Ａの再生途中に早送りキー３００Ｅが操作されて、早送りを行うことによって、再生位置が過去番組Ｂに移動した場合である。特殊再生パターンＡの場合、過去番組Ａのレジューム位置は過去番組Ａの先頭になる。
【００４０】
次に、特殊再生パターンＢの場合を説明する。特殊再生パターンＢは、過去番組Ｂの再生途中で早戻しキー３００Ｆが操作されることで、早戻しを行うことによって、再生位置が過去番組Ａに移動した場合である。特殊再生パターンＢの場合、過去番組Ｂのレジューム位置は、過去番組Ｂの番組開始位置である。
【００４１】
次に、特殊再生パターンＣの場合を説明する。特殊再生パターンＣは、過去番組Ｂの再生途中でコマ戻しキー３００Ｇが操作されることで、コマ戻しを行うことによって、再生位置が過去番組Ａに移動した場合である。特殊再生パターンＣの場合、過去番組Ｂのレジューム位置は、過去番組Ｂの番組開始位置である。
【００４２】
次に、特殊再生パターンＤの場合を説明する。特殊再生パターンＤは、過去番組Ａの再生途中で先スキップキー３００Ｈが操作されることで、先スキップを行うことによって、再生位置が番組Ｂに移動した場合である。特殊再生パターンＤの場合、過去番組Ａのレジューム位置は先スキップ操作が行われたときの再生位置である。
【００４３】
次に、特殊再生パターＥの場合を説明する。特殊再生パターンＥは、過去番組Ｂの再生途中で前スキップキー３００Ｉが操作されることで、前スキップを行うことによって、再生位置が番組Ｂの番組開始位置に移動した場合である。特殊再生パターンＥの場合、過去番組Ｂのレジューム位置は番組Ｂの番組開始位置である。
【００４４】
次に、特殊再生パターＥ’の場合を説明する。特殊再生パターンＥは、過去番組Ｂの再生途中で前スキップ操作を２回を行うことによって、再生位置が番組Ａの番組開始位置に移動した場合である。特殊再生パターンＥ’の場合、過去番組Ｂのレジューム位置は過去番組Ｂのレジューム位置は前スキップ操作が行われたときの再生位置である。
【００４５】
次に、過去番組Ａのレジューム位置に対応する部分が自動削除された場合に、レジューム位置制御部１１０Ｂによって設定される過去番組Ａのレジューム位置について図９を参照して説明する。記録媒体の容量が一杯になると、記録時間が古いものから自動的に削除される。過去番組Ａのレジューム位置に対応する部分が自動削除された場合、過去番組Ａの削除されていない部分の先頭が再生開始位置となる。
【００４６】
次に、一つのストリームに含まれる過去番組毎にレジューム位置が管理されている場合に、複数の過去番組を連続して再生する場合の例について図１０を参照して説明する。
【００４７】
図１０に示すように、過去番組Ａにレジューム位置Ａが設定され、過去番組Ｃにレジューム位置Ｃが設定され、過去番組Ｂにレジューム位置が設定されていない。
【００４８】
複数の過去番組を連続して再生する場合、連続再生モード１と連続再生モード２との二つのモードがある。連続再生モード１は、過去番組Ａのレジューム位置Ａから再生を開始し、過去番組Ｂおよび過去番組Ｃまで連続して再生する。連続再生モード２は、過去番組Ａのレジューム位置Ａから再生を開始し、過去番組Ｂを連続して再生する。過去番組Ｂの最後まで再生を行ったら、過去番組Ｃのレジューム位置Ｃから再生を行う。
【００４９】
連続再生モード１は、過去番組Ｃを途中まで再生したのがかなり以前のことであり、過去番組Ｃを見た内容を覚えていない場合に有効である。また、連続再生モード２は、過去番組Ｃを途中までまで再生したのが最近のことであり、過去番組Ｃを見た内容を覚えている場合に有効である。
【００５０】
連続再生モード１および連続再生モード２の何れのモードに設定するかは、図１１に示す設定画面によって設定することが出来る。有効ボタン１１０１を選択した後に、決定ボタン１１０３を操作することによって、連続再生モード２が設定される。無効ボタン１１０２を選択した後に、決定ボタン１１０３を操作することによって、連続再生モード１が設定される。
【００５１】
次に、再生レジューム位置を設定する処理の手順を図１２のフローチャートを参照して説明する。
【００５２】
先ず、レジューム位置制御部１１０Ｂは、過去番組表上で選択されている番組を過去番組Ｎ（Ｎ＝１）とする（ステップＳ１２０１）。なお、以下では過去番組表で過去番組１の次からの番組を順次過去番組２、過去番組３、…として取り扱う。再生制御部１１０Ａは、過去番組Ｎの再生開始操作を検知する（ステップＳ１２０２）。再生制御部１１０Ａは、過去番組Ｎの再生を開始する（ステップＳ１２０３）。レジューム位置制御部１１０Ｂは、定期的に過去番組Ｎの再生が完了したかを判定する（ステップＳ１２０４）。過去番組Ｎの再生が完了したと判定した場合（ステップＳ１２０４のＹｅｓ）、レジューム位置制御部１１０Ｂは、過去番組Ｎの先頭に再生レジューム位置を設定するように、番組データデース部１１３に通知する（ステップＳ１２０７）。そして、レジューム位置制御部１１０Ｂは、Ｎの値をＮ＋１の値に更新する（ステップＳ１２０８）。
【００５３】
ステップＳ１２０４において、過去番組Ｎの再生が完了していなと判定した場合（ステップＳ１２０４のＮｏ）、レジューム位置制御部１１０Ｂは、再生停止操作を検知したかを判定する（ステップＳ１２０５）。再生停止操作を検知したと判定した場合（ステップＳ１２０５のＹｅｓ）、レジューム位置制御部１１０Ｂは、過去番組Ｎの再生停止位置に再生レジューム位置を設定するよう、番組データベース部１１３に通知する。再生停止操作を検知していないと判定した場合（ステップＳ１２０５のＮｏ）、レジューム位置制御部１１０Ｂは、ステップＳ１２０４からの処理を順次実行する。
【００５４】
既に、１つのストリームの連続再生時の再生動作について図１３のフローチャートを参照して説明する。
【００５５】
レジューム位置制御部１１０Ｂは、過去番組表上で選択されている番組を過去番組Ｎ（Ｎ＝１）とする（ステップＳ１３０１）。なお、以下では過去番組表で過去番組１の次からの番組を順次過去番組２、過去番組３、…として取り扱う。再生制御部１１０Ａは、過去番組Ｎの再生開始操作を検知する（ステップＳ１３０２）。再生制御部１１０Ａは、過去番組Ｎにレジューム再生位置が設定されているかを判定する（ステップＳ１３０３）。設定されていると判定した場合（ステップＳ１３０３のＹｅｓ）、再生制御部１１０Ａは、過去番組Ｎのレジューム再生位置から再生を行う（ステップＳ１３０４）。設定されていないと判定した場合（ステップＳ１３０３のＮｏ）、再生制御部１１０Ａは、過去番組Ｎの先頭から再生を行う（ステップＳ１３０５）。
【００５６】
レジューム位置制御部１１０Ｂは、定期的に過去番組Ｎの再生が完了したかを判定する（ステップＳ１３０６）。過去番組Ｎの再生が完了したと判定した場合（ステップＳ１３０６のＹｅｓ）、レジューム位置制御部１１０Ｂは、Ｎの値をＮ＋１の値に更新する（ステップＳ１３０７）。また、レジューム位置制御部１１０Ｂは、過去番組Ｎの先頭に再生レジューム位置を設定する。再生制御部１１０Ａは、過去番組Ｎのレジューム位置が無効である、すなわち連続再生モード１であるかを判定する（ステップＳ１３０８）。連続再生モード１であると判定した場合（ステップＳ１３０８のＹｅｓ）、ステップＳ１３０５からの処理を順次実行する。
【００５７】
ステップＳ１３０６において、過去番組Ｎの再生が完了していないと判定した場合（ステップＳ１３０６のＮｏ）、レジューム位置制御部１１０Ｂは、再生停止操作を検知したかを判定する（ステップＳ１３０９）。再生停止操作を検知したと判定した場合（ステップＳ１３０９のＹｅｓ）、レジューム位置制御部１１０Ｂは、過去番組Ｎの再生停止位置に再生レジューム位置を設定するように、番組データベース部１１３に通知する（ステップＳ１３１０）。
【００５８】
本装置では、レジューム位置制御部１１０Ｂによって設定された、一つのストリームに含まれる複数のそれぞれについてレジューム位置を番組データベース部１１３に格納することで、途中まで再生した過去番組を再度 再生する場合に「既に視聴した部分を早送りする」という操作を省くことが可能となり、操作性が向上する。
【００５９】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００６０】
１０１…デジタルレコーダ（記録再生装置）、１０２Ａ，１０２Ｂ，１０２Ｃ，１０２Ｄ…チューナ、１１０…記録再生制御部、１１０Ａ…再生制御部、１１０Ｂ…レジューム位置制御部（管理手段）、１１１…記録媒体部、１１３…番組データベース部（管理手段）。
【図１】
2013062623.tif 000003
【図２】
2013062623.tif 000004
【図３】
2013062623.tif 000005
【図４】
2013062623.tif 000006
【図５】
2013062623.tif 000007
【図６】
2013062623.tif 000008
【図７】
2013062623.tif 000009
【図８】
2013062623.tif 000010
【図９】
2013062623.tif 000011
【図１０】
2013062623.tif 000012
【図１１】
2013062623.tif 000013
【図１２】
2013062623.tif 000014
【図１３】
2013062623.tif 000015